(57)【要約】【課題】操作の手間を削減できるとともに、印刷物の仕上がり状態と同じ画像を表示できる画像表示システムを提供する。【解決手段】この画像表示システム５０は、画像形成装置１００と、画像形成装置１００と接続された電子黒板装置３００とを含む。画像形成装置１００は、ユーザによる印刷開始の指示を受付けると、原稿画像の画像データを取得して、設定された印刷条件を反映させた態様で画像データの印刷処理を実行する。それとともに、取得した当該画像データに基づいて、設定された印刷条件が反映された表示データを生成し、生成した表示データを電子黒板装置３００に送信する。電子黒板装置３００は、画像形成装置１００から送信される表示データを受信し、受信した表示データが示す画像を表示する。【選択図】図１
2014023132.tif 000002
【特許請求の範囲】
【請求項１】
画像形成装置と、前記画像形成装置と接続された表示装置とを含む画像表示システムであって、
前記画像形成装置は、
印刷出力を行なう画像データを取得するためのデータ取得手段と、
画像データの印刷条件を設定するための設定手段と、
ユーザによる印刷開始の指示を受付けるための印刷指示受付手段と、
前記印刷指示受付手段が印刷開始の指示を受付けたことに応答して、前記設定手段によって設定された印刷条件を反映させた態様で、前記データ取得手段の取得した前記画像データの印刷処理を実行するための印刷手段と、
前記印刷指示受付手段が印刷開始の指示を受付けたことに応答して、前記印刷手段による印刷処理の実行とともに実行され、前記データ取得手段の取得した前記画像データに基づいて、前記設定手段によって設定された印刷条件が反映された表示データを生成し、生成した前記表示データを前記表示装置に送信するための送信手段とを含み、
前記表示装置は、
前記画像形成装置から送信される前記表示データを受信するための受信手段と、
前記受信手段が受信した前記表示データが示す画像を表示するための表示手段とを含む、画像表示システム。
【請求項２】
前記印刷条件は、画像データの画像形成条件及び画像形成後の処理条件を含み、
前記設定手段は、画像データの前記画像形成条件及び画像形成後の前記処理条件を設定するための手段を含む、請求項１に記載の画像表示システム。
【請求項３】
前記画像データ及び前記画像データに基づいて生成された前記表示データは、複数ページの原稿画像データを含むことがあり、
前記表示装置は、前記表示手段へのタッチによる操作を受付けるための操作手段をさらに含み、
前記表示手段は、前記操作手段が操作を受付けたことに応答して、前記原稿画像データが示す原稿画像の表示をページ順序にしたがって切替えるためのページ切替手段を含む、請求項１又は請求項２に記載の画像表示システム。
【請求項４】
前記表示装置は、
前記表示手段へのタッチによる描画操作を受付けて描画像を前記表示手段に表示するための描画手段と、
前記表示手段に表示された画像を画像データとして記憶するための記憶手段と、
前記記憶手段が記憶している画像データを前記画像形成装置に送信するための手段とをさらに含み、
前記表示手段は、前記表示データが示す画像とともに描画像を表示するための手段を含み、
前記記憶手段は、前記表示データが示す画像及び前記描画像を含む画像を画像データとして記憶するための手段を含み、
前記画像形成装置は、前記送信するための手段が送信した前記画像データを受信して、当該画像データの印刷処理を実行するための手段をさらに含む、請求項１又は請求項２に記載の画像表示システム。
【請求項５】
前記データ取得手段は、原稿画像を読取るための読取手段を含み、
前記印刷指示受付手段は、ユーザによるコピー印刷開始の指示を受付けるための手段を含む、請求項１〜請求項４のいずれかに記載の画像表示システム。
【請求項６】
外部機器としての表示装置に接続される画像形成装置であって、
印刷出力を行なう画像データを取得するためのデータ取得手段と、
画像データの印刷条件を設定するための設定手段と、
ユーザによる印刷開始の指示を受付けるための印刷指示受付手段と、
前記印刷指示受付手段が印刷開始の指示を受付けたことに応答して、前記設定手段によって設定された印刷条件を反映させた態様で、前記データ取得手段の取得した前記画像データの印刷処理を実行するための印刷手段と、
前記印刷指示受付手段が印刷開始の指示を受付けたことに応答して、前記印刷手段による印刷処理の実行とともに実行され、前記データ取得手段の取得した前記画像データに基づいて、前記設定手段によって設定された印刷条件が反映された表示データを生成し、生成した前記表示データを前記表示装置に送信するための送信手段とを含む、画像形成装置。
【発明の詳細な説明】
【技術分野】
【０００１】
本発明は、画像表示システム及び画像形成装置に関し、特に、表示装置を備える画像表示システム及びその画像表示システムに用いる画像形成装置に関する。
【背景技術】
【０００２】
近年、情報機器の１種として、多くの事業所（会社、事務所等）に画像形成装置（代表的にはコピー機）が導入されている。このような画像形成装置の１つである複合機（ＭＦＰ（Ｍｕｌｔｉｆｕｎｃｔｉｏｎ  Ｐｅｒｉｐｈｅｒａｌ））のように、コピーモード、画像通信モード（代表的にはファクシミリモード）、ネットワーク対応のプリントモード、及びスキャナモードのように複数のモードを有するものも多くなってきている。
【０００３】
後掲の特許文献１は、コピーモード及びファクシミリモードを有する画像形成装置を開示する。この画像形成装置は、同一の原稿を１回の読取操作でコピー及びファクシミリ送信を行なうことが可能であり、コピーとファクシミリ送信とを同時に行なうモードを有している。このモードが設定されていると、画像形成装置は、ファクシミリ送信用の画像読取を行ない、その後、コピー用の画像読取を行なう。そのため、ユーザは、１回の操作で、コピーとファクシミリ送信とを行なうことができる。
【０００４】
後掲の特許文献２は、スキャナ機能、コピー機能、ファクシミリ送信機能及びファイル送信機能等の複数の機能を有する画像形成装置を開示する。特許文献２では、スキャナ機能によって原稿画像をスキャンし、スキャンした画像データを用いて、スキャン後の処理として、コピー、ファクシミリ送信、電子メール送信、ＦＴＰ（Ｆｉｌｅ  Ｔｒａｎｓｆｅｒ  Ｐｒｏｔｏｃｏｌ）及びＳＭＢ（Ｓｅｒｖｅｒ  Ｍｅｓｓａｇｅ  Ｂｌｏｃｋ）プロトコルによるファイル送信のうち１つ以上の処理を実行する。
【０００５】
また近年、表示装置の１種である、大型の液晶ディスプレイを用いた電子黒板装置も普及しつつある。こうした電子黒板装置（表示装置）は、画像形成装置と接続されて、画像表示システムとして用いられる場合がある。電子黒板装置が画像形成装置と接続されることで、電子黒板装置に表示された画像を、画像形成装置を用いて印刷することができる。また、画像形成装置で取込んだ（スキャンした）原稿画像を画像データとして電子黒板装置に送信し、電子黒板装置に表示させることも可能である。
【０００６】
しかし、例えば会議等で使用する原稿を画像形成装置でコピー印刷するとともに、その原稿の画像（画像データ）を電子黒板装置に送信する場合、従来の画像表示システムでは、コピー印刷をする時にはコピーモードを起動してコピー印刷を実行し、スキャンした画像を送信する時にはスキャン送信モード（原稿画像をスキャンしてその画像を電子黒板装置に送信するモード）を起動して画像データの送信を実行する必要があった。そのため、同じ原稿を２回読取りそれぞれの処理を実行するという作業が発生し、ユーザの手間がかかっていた。
【先行技術文献】
【特許文献】
【０００７】
【特許文献１】特開平９−３６９９８号公報
【特許文献２】特開２０１１−９７２００号公報
【発明の概要】
【発明が解決しようとする課題】
【０００８】
特許文献１に記載の画像形成装置は、１回の操作でコピー印刷とファクシミリ送信とを行なうことができるものの、電子黒板装置等の表示装置に画像データを送信するものではないため、電子黒板装置等の表示装置に画像データを送信する必要がある場合には、ユーザの手間を削減できない。
【０００９】
特許文献２に記載の画像形成装置は、スキャン後の処理として、コピー及びファイル送信を行なうことは可能であるが、特許文献２には、電子黒板装置に画像データを送信することについては開示されていない。
【００１０】
さらに、従来の画像表示システムでは、スキャンによって取得した画像データを電子黒板装置に送信するため、電子黒板装置に表示される画像はスキャンによって取得した画像データが示すものとなる。
【００１１】
ここで、会議等で配布するために原稿をコピー印刷する場合、実際にコピー印刷して配布する紙資料（印刷物）は、例えば中綴じ、ステープル綴じ、ページ集約等の仕上がり処理を行なった印刷物となることが多い。そのような場合、電子黒板装置に表示される画像がスキャンによって取得した画像データが示すものであると、電子黒板装置に表示される画像と会議等で配布する紙資料との相互関係がわかりにくくなる。その結果、例えば、会議等において電子黒板装置を用いてプレゼンテーションを行なう場合に、配布資料（印刷物）によるスムーズな確認が難しくなるという問題が生じる。
【００１２】
本発明は、上記のような課題を解決するためになされたものであり、本発明の１つの目的は、操作の手間を削減できるとともに、印刷物の仕上がり状態と同じ画像を表示できる画像表示システム及びその画像表示システムに用いる画像形成装置を提供することである。
【課題を解決するための手段】
【００１３】
上記目的を達成するために、本発明の第１の局面に係る画像表示システムは、画像形成装置と、画像形成装置と接続された表示装置とを含む画像表示システムである。この画像表示システムにおいて、画像形成装置は、印刷出力を行なう画像データを取得するためのデータ取得手段と、画像データの印刷条件を設定するための設定手段と、ユーザによる印刷開始の指示を受付けるための印刷指示受付手段と、印刷指示受付手段が印刷開始の指示を受付けたことに応答して、設定手段によって設定された印刷条件を反映させた態様で、データ取得手段の取得した画像データの印刷処理を実行するための印刷手段と、印刷指示受付手段が印刷開始の指示を受付けたことに応答して、印刷手段による印刷処理の実行とともに実行され、データ取得手段の取得した画像データに基づいて、設定手段によって設定された印刷条件が反映された表示データを生成し、生成した表示データを表示装置に送信するための送信手段とを含む。表示装置は、画像形成装置から送信される表示データを受信するための受信手段と、受信手段が受信した表示データが示す画像を表示するための表示手段とを含む。
【００１４】
画像形成装置は、ユーザによる印刷開始の指示を受付けると、設定された印刷条件を反映させた態様で、取得した画像データの印刷処理を実行するとともに、当該画像データに基づいて、設定された印刷条件が反映された表示データを生成し、生成した表示データを表示装置に送信する。ユーザは、１回の印刷開始の指示により、画像データの印刷と、その画像データに基づいて生成した、印刷条件が反映された表示データの表示装置への送信とを同時にできる。画像形成装置は、取得した画像データを用いて印刷処理の実行を行ない、同じ画像データに基づいて表示データを生成して表示装置に送信できるので、１回の操作で簡単に、印刷処理と表示装置へのデータの送信処理とを実行できる。したがって、ユーザによる操作の手間を削減できる。
【００１５】
印刷手段は、設定された印刷条件を反映させた態様で画像データの印刷処理を実行する。これにより、設定された印刷条件に基づいて仕上がり処理が行なわれた印刷物が得られる。画像形成装置はさらに、印刷処理を行なう画像データに基づいて、設定された印刷条件が反映された表示データを生成し、生成した表示データを表示装置に送信する。表示装置は、画像形成装置から送信される表示データを受信し、受信した表示データが示す画像を表示する。表示データは、設定された印刷条件が反映されているため、表示装置には、印刷処理によって得られた印刷物（設定された印刷条件に基づいて仕上がり処理が行なわれた印刷物）と同じ態様で画像が表示される。すなわち、印刷物の仕上がり状態と同じ状態の画像を表示装置に表示できる。そのため、例えば、会議等において表示装置を用いてプレゼンテーションを行なう場合に、事前に配布した資料（印刷処理によって得られた印刷物）と同じ見せ方で、その資料の画像を表示装置に表示できる。したがって、表示装置に表示される画像と、会議等で配布する紙資料（印刷物）との相互関係がわかり易くなるので、会議等において表示装置を用いてプレゼンテーションを行なう場合に、配布資料（印刷物）によるスムーズな確認を容易にできる。
【００１６】
好ましくは、印刷条件は、画像データの画像形成条件及び画像形成後の処理条件を含み、設定手段は、画像データの画像形成条件及び画像形成後の処理条件を設定するための手段を含む。これにより、画像データの画像形成条件及び画像形成後の処理条件を設定することが可能となるので、所望の仕上がり処理が行なわれた印刷物が得られる。表示装置には、その印刷物の仕上がり状態と同じ状態の画像が表示される。
【００１７】
より好ましくは、画像データ及び画像データに基づいて生成された表示データは、複数ページの原稿画像データを含むことがあり、表示装置は、表示手段へのタッチによる操作を受付けるための操作手段をさらに含み、表示手段は、操作手段が操作を受付けたことに応答して、原稿画像データが示す原稿画像の表示をページ順序にしたがって切替えるためのページ切替手段を含む。
【００１８】
表示装置は、タッチによる操作を受付けると、原稿画像データが示す原稿画像の表示をページ順序にしたがって切替える。そのため、例えば、会議等において表示装置を用いてプレゼンテーションを行なう場合に、配布資料（印刷物）と同じ見せ方で表示装置に画像を表示しながら、プレゼンテーションを行なうことができる。その結果、より分かりやすいプレゼンテーション方法を実現できる。
【００１９】
さらに好ましくは、表示装置は、表示手段へのタッチによる描画操作を受付けて描画像を表示手段に表示するための描画手段と、表示手段に表示された画像を画像データとして記憶するための記憶手段と、記憶手段が記憶している画像データを画像形成装置に送信するための手段とをさらに含み、表示手段は、表示データが示す画像とともに描画像を表示するための手段を含み、記憶手段は、表示データが示す画像及び描画像を含む画像を画像データとして記憶するための手段を含み、画像形成装置は、送信するための手段が送信した画像データを受信して、当該画像データの印刷処理を実行するための手段をさらに含む。
【００２０】
表示装置は、タッチによる描画操作を受付けて描画像を表示する。そのため、表示データが示す画像に、ユーザによる描画操作によって文字等を描画できる。さらに、表示データが示す画像に文字等が描画された画像を画像データとして記憶し、その画像データを画像形成装置に送信できる。画像形成装置は、表示装置から送信された画像データを受信すると、その画像データの印刷処理を実行する。そのため、例えば、会議等において表示装置を用いてプレゼンテーションを行なう場合に、画像データを印刷した印刷物を、その会議の出席者等に議事録として配布できる。
【００２１】
さらに好ましくは、データ取得手段は、原稿画像を読取るための読取手段を含み、印刷指示受付手段は、ユーザによるコピー印刷開始の指示を受付けるための手段を含む。
【００２２】
ユーザによるコピー印刷開始の指示を受付けると、画像形成装置は原稿画像を読取り、その原稿画像の画像データを取得し、設定された印刷条件を反映させた態様で、取得した画像データの印刷処理を実行する。それと同時に、当該画像データに基づいて、設定された印刷条件が反映された表示データを生成し、生成した表示データを表示装置に送信する。ユーザは、１回のコピー印刷開始の指示により、画像データのコピー印刷と、その画像データに基づいて生成した、印刷条件が反映された表示データの表示装置への送信とを同時にできる。
【００２３】
本発明の第２の局面に係る画像形成装置は、外部機器としての表示装置に接続される画像形成装置である。この画像形成装置は、印刷出力を行なう画像データを取得するためのデータ取得手段と、画像データの印刷条件を設定するための設定手段と、ユーザによる印刷開始の指示を受付けるための印刷指示受付手段と、印刷指示受付手段が印刷開始の指示を受付けたことに応答して、設定手段によって設定された印刷条件を反映させた態様で、データ取得手段の取得した画像データの印刷処理を実行するための印刷手段と、印刷指示受付手段が印刷開始の指示を受付けたことに応答して、印刷手段による印刷処理の実行とともに実行され、データ取得手段の取得した画像データに基づいて、設定手段によって設定された印刷条件が反映された表示データを生成し、生成した表示データを表示装置に送信するための送信手段とを含む。
【００２４】
画像形成装置は、ユーザによる印刷開始の指示を受付けると、設定された印刷条件を反映させた態様で、取得した画像データの印刷処理を実行するとともに、当該画像データに基づいて、設定された印刷条件が反映された表示データを生成し、生成した表示データを表示装置に送信する。ユーザは、１回の印刷開始の指示により、画像データの印刷と、その画像データに基づいて生成した、印刷条件が反映された表示データの表示装置への送信とを同時にできる。画像形成装置は、取得した画像データを用いて印刷処理の実行を行ない、同じ画像データに基づいて表示データを生成して表示装置に送信できるので、１回の操作で簡単に、印刷処理と表示装置へのデータの送信処理とを実行できる。したがって、ユーザによる操作の手間を削減できる。
【００２５】
印刷手段は、設定された印刷条件を反映させた態様で画像データの印刷処理を実行する。これにより、設定された印刷条件に基づいて仕上がり処理が行なわれた印刷物が得られる。画像形成装置はさらに、印刷処理を行なう画像データに基づいて、設定された印刷条件が反映された表示データを生成し、生成した表示データを表示装置に送信する。画像形成装置と接続される表示装置は、受信した表示データが示す画像を表示する。表示データは、設定された印刷条件が反映されているため、表示装置には、印刷処理によって得られた印刷物（設定された印刷条件に基づいて仕上がり処理が行なわれた印刷物）と同じ態様で画像が表示される。すなわち、印刷物の仕上がり状態と同じ画像を表示装置に表示できる。そのため、例えば、会議等において表示装置を用いてプレゼンテーションを行なう場合に、事前に配布した資料（印刷処理によって得られた印刷物）と同じ見せ方で、その資料の画像を表示装置に表示できる。したがって、表示装置に表示される画像と、会議等で配布する紙資料（印刷物）との相互関係がわかり易くなるので、会議等において表示装置を用いてプレゼンテーションを行なう場合に、配布資料（印刷物）によるスムーズな確認を容易にできる。
【発明の効果】
【００２６】
以上より、本発明によれば、操作の手間を削減できるとともに、印刷物の仕上がり状態と同じ画像を表示できる画像表示システム及びその画像表示システムに用いる画像形成装置を容易に得ることができる。
【図面の簡単な説明】
【００２７】
【図１】本発明の第１の実施の形態に係る画像表示システムの全体構成を示す図である。
【図２】本発明の第１の実施の形態に係る画像表示システムの全体構成を示す図である。
【図３】図１及び図２に示す電子黒板装置の表示部に表示される画面例を示す図である。
【図４】図１及び図２に示す画像形成装置の操作パネルに表示される画面例を示す図である。
【図５】図１及び図２に示す画像形成装置のハードウェア構成を示す制御ブロック図である。
【図６】図１及び図２に示す画像形成装置の表示データ生成部で生成される表示データのデータ構造の一例を示す図である。
【図７】図１及び図２に示す画像形成装置の表示データ生成部で生成される表示データのデータ構造の一例を示す図である。
【図８】図１及び図２に示す電子黒板装置のハードウェア構成を示す制御ブロック図である。
【図９】図１及び図２に示す画像形成装置で実行されるプログラムの制御構造を示すフローチャートである。
【図１０】図１及び図２に示す電子黒板装置で実行されるプログラムの制御構造を示すフローチャートである。
【図１１】本発明の第１の実施の形態に係る画像表示システムの利用例を示す図（画像形成装置から電子黒板装置にデータを送信した後の電子黒板装置での表示及び編集を示す図）である。
【図１２】本発明の第１の実施の形態に係る画像表示システムの他の利用例を示す図（画像形成装置から電子黒板装置にデータを送信した後の電子黒板装置での表示及び編集を示す図）である。
【図１３】本発明の第３の実施の形態に係る電子黒板装置で実行されるプログラムの制御構造を示すフローチャートである。
【発明を実施するための形態】
【００２８】
以下の実施の形態では、同一の部品には同一の参照番号を付してある。それらの機能及び名称も同一である。したがって、それらについての詳細な説明は繰返さない。
【００２９】
（第１の実施の形態）
［全体システム構成］
図１を参照して、本実施の形態に係る画像表示システム５０の全体構成について説明する。本画像表示システム５０は、画像形成装置１００と、表示装置の１種である電子黒板装置３００とを含む。画像形成装置１００及び電子黒板装置３００は、ＬＡＮ（Ｌｏｃａｌ  Ａｒｅａ  Ｎｅｔｗｏｒｋ）回線等からなるネットワーク６００を介して互いに接続され、画像データを含む各種データを相互に送受できる。
【００３０】
画像形成装置１００は、例えば、コピー機能、スキャナ機能、及び、ファクシミリ（以下「ＦＡＸ」と記す場合がある。）機能等の複数の機能（モード）を備えるＭＦＰ（デジタル複合機）である。画像形成装置１００において、ユーザによって、コピーモード、スキャナモード及びＦＡＸモード等を含む各種動作モードのうちのいずれかが選択されると、選択された動作モードに対応する各種処理が実行可能になる。なお、この画像形成装置１００は、レーザー光を露光に利用する、所謂レーザー方式（電子写真方式）の印刷機能を備える。しかし、他の形式の印刷機能を備えたものであってもよい。
【００３１】
画像形成装置１００はまた、中綴じ印刷、ページ集約印刷、両面印刷等のレイアウトの変更処理を行なう機能、並びに、ブック綴じ（中綴じステープル）及びステープル綴じ等の後処理を行なう機能等を備える。さらに、画像形成装置１００は、印刷出力した印刷物の縦向き／横向きの変更を行なう機能も備える。
【００３２】
中綴じ印刷は、例えば二つ折りにすると中綴じの冊子になるように自動的にページを振分け、用紙の表裏に印刷する機能である。ページ集約機能は、複数枚の原稿を１枚におさめて出力する機能である。ページ集約には、例えば、２枚の原稿を１枚に集約して出力する「２ｉｎ１」、４枚の原稿を１枚に集約して出力する「４ｉｎ１」等がある。ブック綴じ及びステープル綴じは、印刷後の用紙をステープルで綴じる後処理である。
【００３３】
画像形成装置１００は、コピーモードにおいて、コピー印刷の印刷条件を設定（コピー設定）することが可能に構成されている。設定可能な印刷条件は、例えば、画像データの画像形成条件及び画像形成後の処理条件等である。画像データの画像形成条件には、上記した、中綴じ印刷、ページ集約印刷及び両面印刷等のレイアウト変更に関する処理条件が含まれる。画像形成後の処理条件には、上記した、ブック綴じ（中綴じステープル）及びステープル綴じ等の後処理条件が含まれる。このように、画像形成装置１００は、コピー印刷において、所望の仕上がり処理を設定することが可能に構成されている。
【００３４】
画像形成装置１００はさらに、コピー印刷の際に読取った原稿画像のデータをコピー印刷と同時に電子黒板装置３００に送信する機能（以下「同時送信機能」と記す。）を有する。この機能は、図４に示すコピー基本画面２００の初期画面において、印刷と同時にデータを電子黒板装置に送信するためのキー（以下「同時送信キー」と記す。）２３２を操作することにより使用可能に設定できる。コピー基本画面２００の初期画面は、コピーモードが選択された場合に後述する操作パネル１８０（図５参照）のタッチパネルディスプレイ１８２に表示される。なお、「コピー印刷と同時」とは、厳密な意味においてコピー印刷と同時である必要はなく、コピー印刷時にデータを電子黒板装置３００に送信する構成であればよい。
【００３５】
図４を参照して、コピー基本画面２００の初期画面において、機能選択領域２１０には、コピーモードにおける各種機能の設定変更を行なうための各種設定キーが表示される。本実施の形態では、各種設定キーとして、カラーモードを切替えるためのキー２１０ａ、原稿のサイズ等を変更するためのキー２１０ｂ、使用する記録用紙のサイズ等を変更するためのキー２１０ｃ、両面コピー機能を設定するためのキー２１０ｄ、コピー倍率を変更するためのキー２１０ｅ、コピー濃度を変更するためのキー２１０ｆ、及び、仕上げ機能を設定するためのキー２１０ｇが表示される。仕上げ機能を設定するためのキー２１０ｇが操作されると、ブック綴じ及びステープル綴じ等の後処理を設定できる。
【００３６】
機能選択領域２１０において、各種設定キー２１０ａ〜２１０ｇの下方には、各種設定キー２１０ａ〜２１０ｇの表示スタイルを変更するための変更キー２１２，２１４、及び、各種設定キー２１０ａ〜２１０ｇでは設定変更不可能な他の機能の一覧を表示させるためのキー２１６が表示される。キー２１６の操作により、例えば、中綴じ印刷、ページ集約印刷、両面印刷等のレイアウトの変更処理等を設定できる。
【００３７】
プレビュー領域２２０には、コピー部数を入力するための仮想テンキー２５０が表示される。仮想テンキー２５０は、０〜９までの数字キー２５２及びクリア（Ｃ）キー２５４を含む。
【００３８】
アクションパネル領域２３０には、コピーモードにおけるおすすめ機能を実行するための各種実行キーが表示される。おすすめ機能とは、ユーザによって選択された機能に対して過去に組合せて選択されたことのある機能である。このアクションパネル領域２３０には、上記した同時送信キー２３２が表示されており、このキー２３２を操作することにより、上記した同時送信機能を設定できる。
【００３９】
タスクトリガー領域２４０には、プレビューキー２４２、リセットキー２４４、モノクロスタートキー２４６、及び、カラースタートキー２４８等が表示される。
【００４０】
電子黒板装置３００は、大型の液晶ディスプレイを用いた表示入力装置（ＢＩＧＰＡＤ（登録商標））である。この電子黒板装置３００は、種々のアプリケーションソフトを起動することが可能であり、起動したアプリケーションソフトに対応した機能を実現する。アプリケーションソフトは、電子黒板装置３００の主要な機能である、タッチペン５００（図３参照）による描画（手書き入力）を実現するペンソフトを含む。
【００４１】
図１及び図２を参照して、本画像表示システム５０では、同時送信キー２３２が操作されることによって同時送信機能が使用可能に設定されていると、コピー印刷の際に読取った原稿画像のデータをコピー印刷と同時に電子黒板装置３００に送信する。このとき、コピー設定として、中綴じ印刷、ページ集約印刷、両面印刷等のレイアウトの変更処理、並びに、ブック綴じ（中綴じステープル）及びステープル綴じ等の後処理等のいずれかが設定されていると、画像形成装置１００は、コピー印刷の際に読取った画像データに基づいて、設定されている処理が反映された表示データを生成（表示データに変換）し、生成した表示データを電子黒板装置３００に送信する。
【００４２】
図３を参照して、電子黒板装置３００は、画像形成装置１００から同時送信された表示データを受信し、受信した表示データが示す画像を画面に表示できる。表示データが示す画像には、画像形成装置１００においてコピー設定された処理が反映されている。例えば、コピー設定として、ステープル綴じの後処理が設定されている場合には、電子黒板装置３００には、ステープルで綴じられたイメージの原稿画像が表示される。すなわち、電子黒板装置３００には、コピー印刷によって得られる印刷物（印刷条件が設定されている場合には、設定された印刷条件に基づいて処理が行なわれた印刷物）と同じ態様で画像が表示される。
【００４３】
電子黒板装置３００は、後述するように、タッチパネル機能を有しており、タッチジェスチャー操作（例えば、フリック操作）によって原稿画像の表示をページ順序にしたがって切替えることが可能である。すなわち、電子黒板装置３００の画面を、例えば、原稿画像（ページ）を移動させたい方向に指等で軽くはじくようにタッチジェスチャー操作（フリック）すると、原稿画像（ページ）の表示が移動する。原稿画像が両面印刷されている場合、ユーザがタッチ操作を行なうと、電子黒板装置３００は、表面側の原稿画像から裏面側の原稿画像に表示を切替える。
【００４４】
［ハードウェア構成］
《画像形成装置１００》
図５を参照して、画像形成装置１００は、制御部１１０、スキャナ部１２０、画像処理部１３０、画像形成部１４０、表示データ生成部１５０、ＦＡＸ通信部１６０、ネットワークインターフェイス（以下「ネットワークＩ／Ｆ」と記す。）１７０、操作パネル１８０及び後処理部１９０を含む。
【００４５】
制御部１１０は、実質的にコンピュータであって、ＣＰＵ（Ｃｅｎｔｒａｌ  Ｐｒｏｃｅｓｓｉｎｇ  Ｕｎｉｔ）１１２、ＲＯＭ（Ｒｅａｄ  Ｏｎｌｙ  Ｍｅｍｏｒｙ）１１４、ＲＡＭ（Ｒａｎｄｏｍ  Ａｃｃｅｓｓ  Ｍｅｍｏｒｙ）１１６及びＨＤＤ（Ｈａｒｄ  Ｄｉｓｋ  Ｄｒｉｖｅ）１１８を含む。ＣＰＵ１１２には、ＢＵＳライン１９２が接続されており、このＢＵＳライン１９２には、ＲＯＭ１１４、ＲＡＭ１１６及びＨＤＤ１１８が電気的に接続される。ＣＰＵ１１２は、操作パネル１８０等からの指示に応じて各種コンピュータプログラムを実行することによって、画像形成装置１００の各部の動作及び情報処理装置（図示せず。）等の外部機器との通信等の所望の処理を実行する。上記の各種コンピュータプログラムは、予めＲＯＭ１１４又はＨＤＤ１１８に記憶されており、所望の処理の実行時において、当該ＲＯＭ１１４又はＨＤＤ１１８から読出されてＲＡＭ１１６に転送される。ＣＰＵ１１２は、ＣＰＵ１１２内の図示しないプログラムカウンタと呼ばれるレジスタに格納された値によって指定される、ＲＡＭ１１６内のアドレスからプログラムの命令を読出し、解釈する。ＣＰＵ１１２はまた、読出された命令によって指定されるアドレスから演算に必要なデータを読出し、そのデータに対し命令に対応する演算を実行する。実行の結果も、ＲＡＭ１１６、ＨＤＤ１１８及びＣＰＵ１１２内のレジスタ等の、命令によって指定されるアドレスに格納される。
【００４６】
ＨＤＤ１１８には、画像形成装置１００の一般的な動作を実現するためのコンピュータプログラムが記憶される。このコンピュータプログラムは、ネットワーク６００及びネットワークＩ／Ｆ１７０を介して、情報処理装置等から提供される。なお、このコンピュータプログラムは、そのコンピュータプログラムが記録された、例えばＤＶＤ等の記憶媒体によって提供されてもよい。すなわち、コンピュータプログラムの記録媒体としてのＤＶＤが、画像形成装置１００内に内蔵されるＤＶＤドライブ（図示せず。）に装着され、そのＤＶＤからコンピュータプログラムが読出されてＨＤＤ１１８にインストールされてもよい。ＨＤＤ１１８は、他に、画像データ等を含む各種データを記憶する。
【００４７】
ＢＵＳライン１９２には、さらに、スキャナ部１２０、画像処理部１３０、画像形成部１４０、表示データ生成部１５０、ＦＡＸ通信部１６０、ネットワークＩ／Ｆ１７０、操作パネル１８０及び後処理部１９０が電気的に接続される。
【００４８】
スキャナ部１２０は、原稿検知センサ及びＣＣＤ（Ｃｈａｒｇｅ−Ｃｏｕｐｌｅｄ  Ｄｅｖｉｃｅ）ラインセンサ（以上いずれも図示せず。）を含む。原稿検知センサは、ユーザによって手動で、又は、自動原稿搬送装置（図示せず。）によって、原稿載置台（図示せず。）上に載置された原稿の画像表面に対し光源（図示せず。）から光りを照射することによって得られる反射光像をＣＣＤラインセンサ上に結像させる。ＣＣＤラインセンサは、結像された反射光像を順次光電変換して画像データとして画像処理部１３０に対して出力する。すなわち、スキャナ部１２０は、原稿のコピー時又はスキャン時に、原稿載置台に載置される原稿から原稿検知センサによって画像情報を読取り、読取った画像情報をＣＣＤラインセンサによって電気信号に変換して画像データとして画像処理部１３０に対して出力する。
【００４９】
画像処理部１３０は、ＭＰＵ（Ｍｉｃｒｏ  Ｐｒｏｃｅｓｓｉｎｇ  Ｕｎｉｔ、図示せず。）を含む。画像処理部１３０は、スキャナ部１２０、又は、情報処理装置等から受信した画像データに対して、例えば、ラスタライズ処理等の所定の画像処理を含む各種処理を施して所定の階調の印刷データを作成し、画像形成部１４０に対して出力する。
【００５０】
画像形成部１４０は、画像データによって示される画像を記録用紙に印刷するものであって、例えば、感光体ドラム、帯電装置、レーザースキャンユニット（ＬＳＵ）、現像装置、転写装置、クリーニング装置、定着装置、及び除電装置等を備えている。画像形成部１４０には、例えば、搬送路が設けられており、給紙部（図示せず。）から給紙されてきた記録用紙が搬送路に沿って搬送される。給紙部は、用紙カセット（図示せず。）に収納された記録用紙、又は手差トレイに載置された記録用紙を１枚ずつ引出して記録用紙を画像形成部１４０の搬送路へと送り出す。画像形成部１４０の搬送路に沿って記録用紙が搬送されている途中で、記録用紙が感光体ドラムと転写装置との間を通過し、さらに定着装置を通過して、記録用紙に対する印刷が行なわれる。
【００５１】
感光体ドラムは、一方向に回転し、その表面は、クリーニング装置と除電装置によりクリーニングされた後、帯電装置により均一に帯電される。レーザースキャンユニットは、印刷対象の画像データに基づいてレーザー光を変調し、このレーザー光によって感光体ドラムの表面を主走査方向に繰返し走査して、静電潜像を感光体ドラムの表面に形成する。現像装置は、トナーを感光体ドラムの表面に供給して静電潜像を現像し、トナー像を感光体ドラムの表面に形成する。転写装置は、転写装置と感光体ドラムとの間を通過していく記録用紙に感光体ドラムの表面のトナー像を転写する。
【００５２】
定着装置は、記録用紙を加熱するための加熱ローラと、記録用紙を加圧するための加圧ローラとを含む。記録用紙は、加熱ローラによって加熱され、かつ、加圧ローラによって加圧されることによって、記録用紙上に転写されたトナー像が記録用紙に定着される。定着装置から排出された（印刷された）記録用紙は、排紙トレイに排出される。
【００５３】
表示データ生成部１５０は、上記同時送信機能が使用可能に設定されており、かつ、コピー設定によって印刷条件が設定されている場合に、コピー印刷の際に読取った画像データに基づいて、設定されている処理が反映された表示データを生成（表示データに変換）する。表示データ生成部１５０はまた、制御部１１０の制御にしたがって、生成した表示データを接続されている電子黒板装置３００に送信する。上記同時送信機能が使用可能に設定されている一方、印刷条件が設定されていない場合は、コピー印刷の際に読取った画像データが電子黒板装置３００に送信される。
【００５４】
図６及び図７を参照して、表示データ生成部１５０が生成する表示データのデータ構造について説明する。図６には、表示データの一例として、５ページの原稿をスキャンし、取得した元画像データを両面印刷して送信する場合の表示データのデータ形成が示されている。図７には、表示データの一例として、５ページの原稿をスキャンし、取得した元画像データをページ集約印刷（２ｉｎ１（２ｕｐ）印刷）して送信する場合の表示データのデータ形式が示されている。
【００５５】
図６を参照して、元画像データを両面印刷して送信する場合、表示データ生成部１５０は取得した元画像データに基づいてページヘッダ（ページＮｏ．及びページ属性（表面又裏面））が付されたデータ形成の表示データを生成する。
【００５６】
図７を参照して、元画像データをページ集約印刷して送信する場合、表示データ生成部１５０は取得した元画像データに基づいて１ページに元画像データの２ページ分のデータが集約されたデータ形成の表示データを生成する。この場合、表示データの３ページ目には、元画像データの５ページ目の画像データの次に白紙の画像データが挿入される。すなわち、奇数ページの元画像データを２ｉｎ１（２ｕｐ）印刷して送信する場合は、生成された表示データの最終ページに白紙の画像データが挿入される。
【００５７】
再び図５を参照して、ネットワークＩ／Ｆ１７０は、ネットワーク６００とのインターフェイスをとる。画像形成装置１００は、このネットワークＩ／Ｆ１７０を介して、ネットワーク６００上の情報処理装置等と、所定の通信プロトコルに従ったデータ通信を行なうことができる。画像形成装置１００は、ネットワークＩ／Ｆ１７０を介して、情報処理装置から印刷ジョブ等の各種処理の実行を命令する命令信号を受信することができる。
【００５８】
ＦＡＸ通信部１６０は、公衆回線７００への接続を提供する。ＦＡＸ通信部１６０はまた、公衆回線７００を介して画像データの送受信を行なう。
【００５９】
操作パネル１８０は、タッチパネルディスプレイ１８２を含む。タッチパネルディスプレイ１８２は、表示パネル１８４と、タッチパネル１８６とが重ねて構成されるタッチパネル一体型液晶表示装置である。表示パネル１８４は、画像形成装置１００の状態及び各種処理の状態に関する情報等の各種情報をユーザに提供する。このタッチパネルディスプレイ１８２はまた、ユーザに対して対話的な操作インターフェイスを提供する。この対話的な操作インターフェイスは、タッチパネル１８６から画像形成装置１００全体の動作に対するユーザの指示を受付け、その指示の内容を表示パネル１８４に表示するとともに、その指示に応じた制御信号を制御部１１０又は画像処理部１３０のＭＰＵに対して出力する。
【００６０】
後処理部１９０は、コピー印刷が終了した用紙に対して、ブック綴じ（中綴じステープル）及びステープル綴じ等の後処理を実行する。
【００６１】
《電子黒板装置３００》
図８を参照して、電子黒板装置３００は、大画面のタッチパネルディスプレイ３１０と、コンピュータからなる制御装置３５０とを含む。
【００６２】
制御装置３５０は、所定のプログラムを実行することにより、電子黒板装置３００の全体の制御を実現するためのＣＰＵ３５２と、電子黒板装置３００の電源が投入されたときにＣＰＵ３５２が読出すプログラムを記憶する読出専用メモリ（ＲＯＭ）３５４と、ＣＰＵ３５２が作業用メモリとして使用するランダム・アクセス・メモリ（ＲＡＭ）３５６と、電子黒板装置３００の電源が切断されたときに記録を保持することが可能な記録部３５８と、タッチパネルディスプレイ３１０（後述する入力検知装置３３０）から得た情報（座標データ）をもとに、処理内容を決定する入力処理部３６０と、ＣＰＵ３５２の制御にしたがってタッチパネルディスプレイ３１０による画像の表示を制御する表示制御部３６２と、タッチパネルディスプレイ３１０に表示させる画像を保持するビデオメモリ（ビデオＲＡＭ）３６４と、電子黒板装置３００に対してネットワーク６００との接続を提供するネットワーク装置３６６と、これらを互いに接続し、相互の間のデータ及び制御信号の通信を可能にするバス３６８とを含む。
【００６３】
ＲＯＭ３５４は、電子黒板装置３００の電源投入時にＣＰＵ３５２が実行し、電子黒板装置３００が所定の動作をするように電子黒板装置３００の全体を設定するためのプログラム及びデータを記憶している。電子黒板装置３００の動作を実現するためのプログラムもＲＯＭ３５４に記憶されている。記録部３５８は、通電が遮断された場合にもデータを保持する不揮発性記憶装置であり、例えば、ハードディスクドライブ又はフラッシュメモリ等である。記録部３５８は電子黒板装置３００に対して着脱可能でもよい。記録部３５８は、ＣＰＵ３５２が実行するプログラムの一部を記憶することもできる。ＣＰＵ３５２は、通常動作時には、バス３６８を介してＲＯＭ３５４又は記録部３５８からプログラムをＲＡＭ３５６上にロードし、図示しないプログラムカウンタにより指定されるアドレスから命令を順次読出して実行する。ＣＰＵ３５２は、ＲＯＭ３５４及び記録部３５８に格納されているプログラムにしたがって電子黒板装置３００を構成する各部の制御を行なう。
【００６４】
さらに、記録部３５８は、ＣＰＵ３５２の制御の下で、タッチパネルディスプレイ３１０に表示された画像を画像データとして記憶する。この画像データは、印刷用の画像データとして用いることができる。すなわち、記録部３５８に記憶されている画像データを画像形成装置１００に送信することによって、送信した画像データの印刷を行なうことができる。なお、タッチパネルディスプレイ３１０に、表示データが示す画像とタッチペン５００による描画像とが表示されている場合には、表示データが示す画像及びその描画像を含む画像を画像データとして記憶できる。
【００６５】
ネットワーク装置３６６は、ＣＰＵ３５２の制御の下で、ネットワーク６００に接続された画像形成装置１００等との間で画像データを送受信する。ネットワーク装置３６６を介して電子黒板装置３００が外部から受信した画像データは、ＲＡＭ３５６又は記録部３５８に記録される。画像形成装置１００から受信した表示データも、ＲＡＭ３５６又は記録部３５８に記録される。なお、画像形成装置１００から送信されたデータ（表示データ及び画像データ等）は、ＲＡＭ３５６又は記録部３５８の受付フォルダ内に登録される。
【００６６】
タッチパネルディスプレイ３１０は、所定の表示面上に画像を表示する表示部３２２を含む表示出力装置３２０と、表示部３２２の画像の表示面のどの位置がユーザによりタッチされたかを所定時間ごとに検出し、その位置の位置座標を制御装置３５０に対して出力する入力検知装置３３０とを含む。入力検知装置３３０は、タッチがあったことを検出し、検出があったことを示す信号を出力する機能と、そのときのタッチ位置を示す座標データを出力する機能とを持つ。
【００６７】
表示部３２２はフルカラー表示が可能な液晶表示パネル等の表示パネルであり、表示制御部３６２の制御の下で表示面上に、ビデオＲＡＭ３６４に記憶された画像を表示する。表示制御部３６２は、表示部３２２を駆動するための駆動部を備え、ビデオＲＡＭ３６４に記憶された画像データを所定のタイミングで読出し、表示部３２２に画像を表示させるための信号を表示部３２２に出力する。表示される画像データは、ＣＰＵ３５２がＲＡＭ３５６上の情報及び記録部３５８に記録された情報から生成し、ビデオＲＡＭ３６４上の各表示画素に対応するアドレスに伝送する。
【００６８】
入力検知装置３３０は、ユーザによるタッチ操作を検出する接触感知部３３２と、接触感知部３３２を制御するマイクロコンピュータ３３４とを含む。マイクロコンピュータ３３４は、ＣＰＵ３３４ａと、接触感知部３３２で検出した情報（座標データ）を外部（入力処理部３６０）に出力する外部出力部３３４ｂとを含む。
【００６９】
電子黒板装置３００は、種々のアプリケーションソフトを起動することが可能であり、起動したアプリケーションソフトに対応した機能を実現する。アプリケーションソフトは、電子黒板装置３００の主要な機能である、タッチペン５００による描画を実現するペンソフトを含む。
【００７０】
ペンソフトが起動されると、表示部３２２には、図３に示すような画面４００が表示される。タッチパネルディスプレイ３１０の表示面は、ユーザによる描画が可能な描画領域４１０と、ユーザが利用する機能を指定するための機能ボタン領域４２０とに区分されている。描画領域４１０には、ユーザがタッチ操作によって描画できる。タッチされた点のＸＹ座標が、入力検知装置３３０により所定の周期ごとに検出され、制御装置３５０に伝送される。制御装置３５０（ＣＰＵ３５２）は、受信した座標データに応じて、ビデオＲＡＭ３６４に対応してＲＡＭ３５６に設けられた領域上の、検出された位置に対応するメモリアドレスに所定値を書込む。ビデオＲＡＭ３６４上にこれら検出された画像データを記録してもよいが、ここでは、ビデオＲＡＭ３６４の画像データを記憶する領域とは別に、ＲＡＭ３５６に、描画データを記憶する領域が設けられていることを想定する。
【００７１】
機能ボタン領域４２０には、複数の機能ボタンが表示されている。機能ボタンに割当てられる機能は、例えば、タッチ操作による描画機能（ペンの種類を選択可能）、保存されているファイル（画像データ）を開く機能、所定領域の描画を削除する消しゴム機能、ＲＡＭ３５６又は記録部３５８に記憶されている画像データ及び表示データ等を表示する機能、表示されている画像データを保存する機能、表示されている画像データを印刷する機能等である。各機能ボタンは、アイコンとして表示される。例えば、ペンボタン４２２〜４２６のいずれかを選択することにより、描画領域４１０に描画を行なうことが可能となる。選択しているペンボタンを再度タッチすると、描画の線の太さ及び線の色を変更するパレットが表示される。パレット内に表示される線の太さ及び色を選択することにより、描画する線の太さ及び線の色が変更される。さらに、データ取込ボタン４２８を選択することにより、受付フォルダ内に登録された表示データ又は画像データが取込まれて、表示データが示す画像が表示される。
【００７２】
このように、ペンソフトでは、受信した画像データが示す画像を描画領域４１０に表示することが可能であり、表示された画像に描画することも可能である。
【００７３】
［ソフトウェア構成］
図９を参照して、本実施の形態に係る画像表示システム５０において、画像形成装置１００で実行されるコンピュータプログラムの制御構造について説明する。このプログラムは、コピーモードが選択されることによって起動される。以下では、コピー印刷の印刷条件の設定例として、ページ集約及び中綴じステープルが設定可能な場合について説明する。
【００７４】
このプログラムは、コピーモードを起動するステップＳ１０００と、ステップＳ１０００の後に実行され、同時送信キー２３２（図４参照）が操作されたことによって同時送信機能が設定されているか否かを判定し、判定結果に応じて制御の流れを分岐させるステップＳ１０１０と、ステップＳ１０１０において、同時送信機能が設定されていると判定された場合に実行され、同時送信の設定をＯＮにするステップＳ１０２０と、ステップＳ１０２０の後に実行され、ページ集約が設定されているか否かを判定し、判定結果に応じて制御の流れを分岐させるステップＳ１０３０と、ステップＳ１０３０において、ページ集約が設定されていると判定された場合に実行され、コピー印刷時の印刷条件をページ集約レイアウトに変更するステップＳ１０４０とを含む。
【００７５】
このプログラムはさらに、ステップＳ１０３０において、ページ集約が設定されていないと判定された場合、及び、ステップＳ１０４０の後に実行され、中綴じステープルが設定されているか否かを判定し、判定結果に応じて制御の流れを分岐させるステップＳ１０５０と、ステップＳ１０５０において、中綴じステープルが設定されていると判定された場合に実行され、コピー印刷時の印刷条件を中綴じレイアウト及びステープル綴じ有りに変更するステップＳ１０６０と、ステップＳ１０５０において、中綴じステープルが設定されていないと判定された場合、及び、ステップＳ１０６０の後に実行され、コピー印刷開始の指示（コピースタート）がされたか否かを判定し、判定結果に応じて制御の流れを分岐させるステップＳ１０７０とを含む。ステップＳ１０７０では、図４に示す、モノクロスタートキー２４６又はカラースタートキー２４８が操作されたか否かを判定する。ステップＳ１０７０において、コピー印刷開始の指示がされていないと判定された場合は、制御はステップＳ１０１０に戻る。
【００７６】
このプログラムはさらに、ステップＳ１０７０において、コピー印刷開始の指示がされたと判定された場合に実行され、スキャナ部１２０（図５参照）によって原稿を読取り、それによって取得した画像データの印刷処理を実行するステップＳ１０８０と、ステップＳ１０８０の後に実行され、読取った画像データ（原稿データ）を電子黒板装置３００に送信してこのプログラムを終了するステップＳ１０９０とを含む。
【００７７】
ステップＳ１０８０において、ページ集約及び中綴じステープルの少なくとも一方が設定されている場合は、設定された印刷条件を反映させた態様で画像データの印刷処理を実行する。これにより、設定された印刷条件に基づいて仕上がり処理が行なわれた印刷物が得られる。ステップＳ１０８０において、ページ集約及び中綴じステープルのいずれも設定されていない場合は、そういった処理を行なわずに読取った画像データの印刷処理を実行する。
【００７８】
ステップＳ１０９０において、ページ集約及び中綴じステープルの少なくとも一方が設定されている場合は、コピー印刷の際に読取った画像データに基づいて、設定されている処理が反映された表示データを生成し、生成した表示データ（原稿データ）を電子黒板装置３００に送信する。ステップＳ１０９０において、ページ集約及び中綴じステープルのいずれも設定されていない場合は、コピー印刷の際に読取った画像データ（原稿データ）を電子黒板装置３００に送信する。
【００７９】
このプログラムはさらに、ステップＳ１０１０において、同時送信機能が設定されていないと判定された場合に実行され、ページ集約が設定されているか否かを判定し、判定結果に応じて制御の流れを分岐させるステップＳ１１００と、ステップＳ１１００において、ページ集約が設定されていると判定された場合に実行され、コピー印刷時の印刷条件をページ集約レイアウトに変更するステップＳ１１１０と、ステップＳ１１００において、ページ集約が設定されていないと判定された場合、及び、ステップＳ１１１０の後に実行され、中綴じステープルが設定されているか否かを判定し、判定結果に応じて制御の流れを分岐させるステップＳ１１２０と、ステップＳ１１２０において、中綴じステープルが設定されていると判定された場合に実行され、コピー印刷時の印刷条件を中綴じレイアウト及びステープル綴じ有りに変更するステップＳ１１３０と、ステップＳ１１２０において、中綴じステープルが設定されていないと判定された場合、及び、ステップＳ１１３０の後に実行され、コピー印刷開始の指示（コピースタート）がされたか否かを判定し、判定結果に応じて制御の流れを分岐させるステップＳ１１４０とを含む。ステップＳ１１４０において、コピー印刷開始の指示がされていないと判定された場合は、制御はステップＳ１０１０に戻る。
【００８０】
このプログラムはさらに、ステップＳ１１４０において、コピー印刷開始の指示がされたと判定された場合に実行され、スキャナ部１２０（図５参照）によって原稿を読取り、それによって取得した画像データの印刷処理を実行し、このプログラムを終了するステップＳ１１５０を含む。
【００８１】
ステップＳ１１５０において、ページ集約及び中綴じステープルの少なくとも一方が設定されている場合は、設定された印刷条件を反映させた態様で画像データの印刷処理を実行する。これにより、設定された印刷条件に基づいて仕上がり処理が行なわれた印刷物が得られる。ステップＳ１１５０において、ページ集約及び中綴じステープルのいずれも設定されていない場合は、そういった処理を行なわずに、読取った画像データの印刷処理を実行する。
【００８２】
図１０を参照して、本実施の形態に係る画像表示システム５０において、電子黒板装置３００で実行されるコンピュータプログラムの制御構造について説明する。このプログラムは、ペンソフトが起動されることによって起動される。
【００８３】
このプログラムは、画像形成装置１００からのデータを受信したか否かを判定し、判定結果に応じて制御の流れを分岐させるステップＳ２０００と、ステップＳ２０００において、画像形成装置１００からのデータを受信したと判定された場合に実行され、データ取込操作がされたか否かを判定し、判定結果に応じて制御の流れを分岐させるステップＳ２０１０と、ステップＳ２０１０において、データ取込操作がされたと判定された場合に実行され、受信したデータを取込んでタッチパネルディスプレイ３１０に表示し、受付フォルダ内のデータを削除するステップＳ２０２０とを含む。
【００８４】
ステップＳ２０００では、電子黒板装置３００は、受付フォルダ内にデータが登録されているか否かを判定する。電子黒板装置３００は、受付フォルダ内にデータが登録されている場合は、画像形成装置１００からのデータを受信したと判定し、受付フォルダ内にデータが登録されていない場合は、画像形成装置１００からのデータを受信していないと判定する。
【００８５】
ステップＳ２０１０では、電子黒板装置３００は、データ取込ボタン４２８（図３参照）がユーザによって選択（タッチ操作）されたか否かを判定する。電子黒板装置３００は、データ取込ボタン４２８が選択された場合は、データ取込操作がされたと判定し、データ取込ボタン４２８が選択されていない場合は、データ取込操作がされていないと判定する。
【００８６】
このプログラムはさらに、ステップＳ２０００において、画像形成装置１００からのデータを受信していないと判定された場合、ステップＳ２０１０において、データ取込操作がされていないと判定された場合、及び、ステップＳ２０２０の後に実行され、編集操作がされたか否かを判定し、判定結果に応じて制御の流れを分岐させるステップＳ２０３０と、ステップＳ２０３０において、編集操作がされたと判定された場合に実行され、当該操作に基づく編集処理を実行するステップＳ２０４０と、ステップＳ２０３０において、編集操作がされていないと判定された場合、及び、ステップＳ２０４０の後に実行され、終了操作がされたか否かを判定し、判定結果に応じて制御の流れを分岐させるステップＳ２０５０とを含む。
【００８７】
ステップＳ２０３０では、図３に示すように、タッチペン５００による描画操作、タッチジェスチャー操作によるページ移動の操作等の編集操作がされたか否かを判定する。ステップＳ２０４０では、タッチペン５００による描画操作がされた場合には、当該操作にしたがって、文字、図形及び記号等が描画され、タッチジェスチャー操作によるページ移動の操作がされた場合には、当該操作にしたがって、原稿画像の表示が切替えられる。
【００８８】
ステップＳ２０５０において、終了操作がされたと判定された場合は、このプログラムは終了し、終了操作がされていないと判定された場合は、制御はステップＳ２０００に戻る。
【００８９】
［動作］
図１〜図５及び図８〜図１２を参照して、以上のような構造及びフローチャートに基づく、本実施の形態に係る画像表示システム５０の動作について説明する。
【００９０】
図３を参照して、画像形成装置１００は、コピーモードが選択されると、操作パネル１８０（図５参照）のタッチパネルディスプレイ１８２にコピー基本画面２００の初期画面を表示する。コピー基本画面２００において、同時送信キー２３２（図４参照）が操作されると（図９に示すステップＳ１０１０においてＹＥＳ）、画像形成装置１００は、コピー印刷の際に読取った原稿画像のデータをコピー印刷と同時に電子黒板装置３００に送信する同時送信機能をＯＮに設定する（ステップＳ１０２０）。
【００９１】
コピー基本画面２００では、コピー印刷時のコピー設定（印刷条件の設定）として、中綴じ印刷、ページ集約印刷、両面印刷等の設定、並びに、ブック綴じ（中綴じステープル）及びステープル綴じ等の後処理の設定等を行なうことができる。
【００９２】
画像形成装置１００に原稿がセットされ、モノクロスタートキー２４６又はカラースタートキー２４８が操作されると、画像形成装置１００は、セットされた原稿の画像情報を読取り、その原稿の画像データを取得する。画像形成装置１００にセットされた原稿が複数枚の場合、画像形成装置１００はセットされた複数枚の原稿を順に読取り、各原稿の原稿画像データを含む画像データを取得する。
【００９３】
コピー基本画面２００において印刷条件の設定がされている場合、画像形成装置１００は、設定された印刷条件を反映させた態様で画像データの印刷処理を実行する。例えば、印刷条件として、両面印刷及びページ集約印刷が設定されている場合、それらの設定にしたがったレイアウトに変更して印刷処理を実行する。さらに、例えば、印刷条件の設定において、後処理設定としてステープル綴じが設定されている場合、画像形成装置１００は、後処理部１９０によって、印刷後の用紙をステープルで綴じる後処理を実行する。
【００９４】
図１及び図２を参照して、同時送信機能が設定されている場合、画像形成装置１００は、コピー印刷の際に読取った画像データを、コピー印刷と同時に電子黒板装置３００に送信する。このとき、コピー基本画面２００において印刷条件の設定がされていると、コピー印刷の際に読取った画像データに基づいて、表示データ生成部１５０が、設定された印刷条件が反映された表示データを生成し、生成した表示データを電子黒板装置３００に送信する。なお、コピー印刷の際に読取った画像データが、複数枚の原稿に対応する複数の原稿画像データを含む場合、その画像データに基づいて生成された表示データも複数の原稿画像データを含む。
【００９５】
同時送信機能が設定されてない場合、画像形成装置１００は通常のコピー印刷の処理を実行する。
【００９６】
電子黒板装置３００は、画像形成装置１００からのデータを受信すると、受信したデータを受付フォルダ内に登録する。図３を参照して、電子黒板装置３００は、データ取込ボタン４２８がユーザによって選択（タッチ操作）されると（図１０に示すステップＳ２０１０においてＹＥＳ）、受付フォルダ内のデータを取込んでタッチパネルディスプレイ３１０（図８参照）に表示し、受付フォルダ内のデータを削除する（ステップＳ２０２０）。
【００９７】
受信したデータが表示データである場合、画像形成装置１００で設定された印刷条件が反映された画像が電子黒板装置３００のタッチパネルディスプレイ３１０に表示される。すなわち、電子黒板装置３００のタッチパネルディスプレイ３１０には、画像形成装置１００のコピー印刷処理によって得られた印刷物（設定された印刷条件に基づいて仕上がり処理が行なわれた印刷物）と同じ態様で画像が表示される。受信した画像データ及び表示データが原稿画像データを含む場合、電子黒板装置３００は、原稿画像データが示す原稿画像を表示する。
【００９８】
図１１を参照して、コピー印刷の際に、例えば横向き原稿を両面コピー印刷しステープルで上綴じを行なった場合、電子黒板装置３００のタッチパネルディスプレイ３１０には、上側の角部にステープルで綴じられた横向き原稿の画像が表示される。図１２を参照して、コピー印刷の際に、例えば横向き原稿をページ集約で２ｉｎ１にし中綴じステープル（ブック綴じ）印刷を行なった場合、電子黒板装置３００のタッチパネルディスプレイ３１０には、２ｉｎ１にレイアウトが変更された中綴じステープル（ブック綴じ）の状態の画像が表示される。このように、電子黒板装置３００のタッチパネルディスプレイ３１０には、印刷物の仕上がり状態と同じ状態の画像が表示される。
【００９９】
受信したデータが通常の画像データである場合（コピー設定がされていない場合）、画像形成装置１００では印刷条件が設定されていないため、コピー印刷の際に読取った画像データがそのまま表示される。
【０１００】
ユーザによって、画像が表示されているタッチパネルディスプレイ３１０の画面上で描画操作が行なわれると、電子黒板装置３００はその操作にしたがって、文字、図形及び記号等の描画像を表示する。
【０１０１】
さらに、ユーザによって、タッチジェスチャー操作によるページ移動の操作がされると、電子黒板装置３００は、その操作にしたがって、原稿画像の表示をページ順序にしたがって切替える。例えば、両面コピー印刷の場合、図１１に示すように、フリックのタッチジェスチャー操作によって表示画像が印刷物と同様に表→裏の順番に表示が切替えられる。さらに、例えば、中綴じステープル（ブック綴じ）印刷の場合、図１２に示すように、フリックのタッチジェスチャー操作によって表示画像が印刷物と同様にブック綴じの順番に表示が切替えられる。
【０１０２】
このような編集操作がされた後に、画像を取込む（保存する）操作が行なわれると、電子黒板装置３００は、タッチパネルディスプレイ３１０に表示されている画像を画像データとして保存（記憶）する。記憶した画像データの印刷指示を受付けると、電子黒板装置３００は、その画像データを画像形成装置１００に送信する。画像形成装置１００は、電子黒板装置３００からの画像データを受信すると、その画像データの印刷処理を実行する。
【０１０３】
［本実施の形態の効果］
以上の説明から明らかなように、本実施の形態に係る画像表示システム５０を利用することにより、以下に述べる効果を奏する。
【０１０４】
画像形成装置１００は、ユーザによる印刷開始の指示を受付けると、設定された印刷条件を反映させた態様で、取得した画像データの印刷処理を実行するとともに、当該画像データに基づいて、設定された印刷条件が反映された表示データを生成し、生成した表示データを電子黒板装置３００に送信する。ユーザは、１回のコピー印刷開始の指示により、画像データの印刷と、その画像データに基づいて生成した、印刷条件が反映された表示データの電子黒板装置３００への送信とを同時にできる。画像形成装置１００は、取得した画像データを用いて印刷処理の実行を行ない、同じ画像データに基づいて表示データを生成して電子黒板装置３００に送信できるので、１回の操作で簡単に、印刷処理と電子黒板装置３００へのデータの送信処理とを実行できる。したがって、ユーザによる操作の手間を削減できる。
【０１０５】
画像形成装置１００は、設定された印刷条件を反映させた態様で画像データの印刷処理を実行する。そのため、設定された印刷条件に基づいて仕上がり処理が行なわれた印刷物が得られる。画像形成装置１００はさらに、印刷処理を行なう画像データに基づいて、設定された印刷条件が反映された表示データを生成し、生成した表示データを電子黒板装置３００に送信する。電子黒板装置３００は、画像形成装置１００から送信される表示データを受信し、受信した表示データが示す画像を表示する。表示データは、設定された印刷条件が反映されているため、電子黒板装置３００には、印刷処理によって得られた印刷物（設定された印刷条件に基づいて仕上がり処理が行なわれた印刷物）と同じ態様で画像が表示される。すなわち、印刷物の仕上がり状態と同じ状態の画像を電子黒板装置３００に表示できる。そのため、例えば、会議等において電子黒板装置３００を用いてプレゼンテーションを行なう場合に、事前に配布した資料（印刷処理によって得られた印刷物）と同じ見せ方で、その資料の画像を電子黒板装置３００に表示できる。したがって、電子黒板装置３００に表示される画像と、会議等で配布する紙資料（印刷物）との相互関係がわかり易くなるので、会議等において電子黒板装置３００を用いてプレゼンテーションを行なう場合に、配布資料（印刷物）によるスムーズな確認を容易にできる。
【０１０６】
電子黒板装置３００は、タッチジェスチャー操作を受付けると、原稿画像の表示をページ順序にしたがって切替える。そのため、例えば、会議等において電子黒板装置３００を用いてプレゼンテーションを行なう場合に、配布資料（印刷物）と同じ見せ方で電子黒板装置３００に画像を表示しながら、プレゼンテーションを行なうことができる。その結果、より分かりやすいプレゼンテーション方法を実現できる。
【０１０７】
電子黒板装置３００は、タッチによる描画操作を受付けて描画像を表示する。そのため、表示データが示す画像に、ユーザによる描画操作によって文字等を描画できる。さらに、表示データが示す画像に文字等が描画された画像を画像データとして記憶し、その画像データの印刷を行なうために、当該画像データを画像形成装置１００に送信できる。画像形成装置１００は、電子黒板装置３００から送信された画像データを受信すると、その画像データの印刷処理を実行する。そのため、例えば、会議等において電子黒板装置３００を用いてプレゼンテーションを行なう場合に、電子黒板装置３００に表示された画像の印刷物を、その会議の出席者等に議事録として配布できる。
【０１０８】
（第２の実施の形態）
本実施の形態に係る画像表示システムは、上記第１の実施の形態に係る画像表示システム５０と同様の構成を有している。ただし、本実施の形態では、電子黒板装置が、画像形成装置から送信された画像を印刷するときに、画像データ（表示データ）の送信時における当該画像形成装置でのコピー設定条件がデフォルトの印刷条件として設定される点が第１の実施の形態とは異なる。
【０１０９】
本実施の形態に係る画像表示システムは、第１の実施の形態に係る画像表示システム５０とハードウェア構成は同じである。ただし、画像形成装置及び電子黒板装置に記憶されているプログラム等が第１の実施の形態とは異なる。
【０１１０】
本実施の形態では、画像形成装置は、図９に示すステップＳ１０９０においてデータ送信を行なうときに、当該コピー印刷時のコピー設定条件に関するデータを原稿データと対にして電子黒板装置に送信する。電子黒板装置は、画像形成装置から送信されたデータを受信すると、コピー設定条件に関するデータを原稿データと対で保存する。電子黒板装置から印刷を行なうときは、当該電子黒板装置は、印刷する原稿データに対応するコピー設定条件に関するデータに基づいて、そのコピー設定条件を印刷条件として例えば自機のプリンタドライバに設定する。これにより、電子黒板装置において、画像形成装置から送信された画像を印刷するときには、電子黒板装置のデフォルトの印刷条件として、画像形成装置でのコピー設定条件が設定される。
【０１１１】
上記構成を有する本実施の形態では、元原稿を画像形成装置でスキャン及びデータ送信し、例えば、電子黒板装置で編集した後のデータを再印刷するときに、改めて印刷条件を設定することなく元原稿と同じ体裁の印刷物を得ることができる。したがって、電子黒板装置から印刷を行なう場合の操作性が改善する。
【０１１２】
（第３の実施の形態）
本実施の形態に係る画像表示システムは、上記第１の実施の形態に係る画像表示システム５０と同様の構成を有している。ただし、本実施の形態では、電子黒板装置が、印刷物の仕上がり状態と同じ状態の画像を表示するプレビューモードと、ページへの書込み（文字等の描画）が可能な編集モードとを備え、これらのモードが切替可能に構成されている点が第１の実施の形態とは異なる。本実施の形態に係る電子黒板装置は、ユーザによる切替操作を受付けるとこれらのモードを切替える。編集モードでは、編集をしやすくするために、タッチパネルディスプレイ３１０（図１参照）に１ページ分の画像が表示（１ページ１画面で表示）される。
【０１１３】
本実施の形態に係る画像表示システムは、第１の実施の形態に係る画像表示システム５０とハードウェア構成は同じである。ただし、電子黒板装置に記憶されているプログラム等が第１の実施の形態とは異なる。
【０１１４】
［ソフトウェア構成］
図１３を参照して、本実施の形態に係る画像表示システムにおいて、電子黒板装置で実行されるコンピュータプログラムの制御構造について説明する。このプログラムは、電子黒板装置に電源が投入されることによって起動される。
【０１１５】
このプログラムは、画像形成装置からのデータを受信したか否かを判定し、判定結果に応じて制御の流れを分岐させるステップＳ３０００と、ステップＳ３０００において、画像形成装置からのデータを受信したと判定された場合に実行され、データ取込操作がされたか否かを判定し、判定結果に応じて制御の流れを分岐させるステップＳ３０１０と、ステップＳ３０１０において、データ取込操作がされたと判定された場合に実行され、受信したデータを取込んでタッチパネルディスプレイ３１０にプレビューモードで表示し、受付フォルダ内のデータを削除するステップＳ３０２０とを含む。
【０１１６】
ステップＳ３０００では、電子黒板装置は、受付フォルダ内にデータが登録されているか否かを判定する。電子黒板装置は、受付フォルダ内にデータが登録されている場合は、画像形成装置からのデータを受信したと判定し、受付フォルダ内にデータが登録されていない場合は、画像形成装置からのデータを受信していないと判定する。
【０１１７】
このプログラムはさらに、ステップＳ３０００において、画像形成装置からのデータを受信していないと判定された場合、ステップＳ３０１０において、データ取込操作がされていないと判定された場合、及び、ステップＳ３０２０の後に実行され、編集モードへの切替指示があったか否かを判定し、判定結果に応じて制御の流れを分岐させるステップＳ３０３０と、ステップＳ３０３０において、編集モードへの切替指示があったと判定された場合に実行され、自機のモードを編集モードに切替えるステップＳ３０４０と、ステップＳ３０４０の後に実行され、プレビューモードへの切替指示があったか否かを判定し、判定結果に応じて制御の流れを分岐させるステップＳ３０５０と、ステップＳ３０５０において、プレビューモードへの切替指示があったと判定された場合に実行され、自機のモードをプレビューモードに切替え、制御をステップＳ３０００に戻すステップＳ３０６０とを含む。
【０１１８】
このプログラムはさらに、ステップＳ３０５０において、プレビューモードへの切替指示がされていないと判定された場合に実行され、編集操作がされたか否かを判定し、判定結果に応じて制御の流れを分岐させるステップＳ３０７０と、ステップＳ３０７０において、編集操作がされたと判定された場合に実行され、当該操作に基づく編集処理を実行するステップＳ３０８０と、ステップＳ３０８０の後に実行され、終了操作がされたか否かを判定し、判定結果に応じて制御の流れを分岐させるステップＳ３０９０とを含む。ステップＳ３０９０において、終了操作がされたと判定された場合は、このプログラムは終了する。
【０１１９】
ステップＳ３０７０では、例えばタッチペンによる描画操作等の編集操作がされたか否かを判定する。ステップＳ３０８０では、タッチペンによる描画操作がされた場合に当該操作にしたがって、文字、図形及び記号等が描画される。
【０１２０】
このプログラムはさらに、ステップＳ３０７０において、編集操作がされていないと判定された場合、及び、ステップＳ３０９０において、終了操作がされていないと判定された場合に実行され、画像形成装置からのデータを受信したか否かを判定し、判定結果に応じて制御の流れを分岐させるステップＳ３１００と、ステップＳ３１００において、画像形成装置からのデータを受信したと判定された場合に実行され、データ取込操作がされたか否かを判定し、判定結果に応じて制御の流れを分岐させるステップＳ３１１０とを含む。
【０１２１】
ステップＳ３１００において、画像形成装置からのデータを受信していないと判定された場合、及び、ステップＳ３１１０において、データ取込操作がされていないと判定された場合は、制御はステップＳ３０５０に戻る。ステップＳ３１１０において、データ取込操作がされたと判定された場合は、制御はステップＳ３０２０に戻る。
【０１２２】
このプログラムはさらに、ステップＳ３０３０において、編集モードへの切替指示がされていないと判定された場合に実行され、タッチジェスチャー操作によるページ移動の操作（ページめくり操作）等の指示があったか否かを判定し、判定結果に応じて制御の流れを分岐させるステップＳ３１２０と、ステップＳ３１２０において、ページめくり操作等の指示があったと判定された場合に実行され、当該操作にしたがって、原稿画像の表示を切替える（ページめくり処理を実行する）ステップＳ３１３０とを含む。ステップＳ３１２０において、ページめくり操作等の指示がなかったと判定された場合、及び、ステップＳ３１３０における処理が終了した場合は、制御はステップＳ３０００に戻る。
【０１２３】
［動作］
図１３を参照して、本実施の形態に係る画像表示システムの動作について説明する。画像形成装置の動作は第１の実施の形態と同様であるため、本画像表示システムの動作として電子黒板装置の動作について説明する。
【０１２４】
電子黒板装置は、画像形成装置からのデータを受信すると、受信したデータを受付フォルダ内に登録する。ユーザによってデータ取込操作が行なわれると（ステップＳ３０１０においてＹＥＳ）、電子黒板装置は、受付フォルダ内のデータを取込んでタッチパネルディスプレイ３１０（図８参照）にプレビューモードで表示し、受付フォルダ内のデータを削除する（ステップＳ３０２０）。
【０１２５】
受信したデータが表示データである場合、画像形成装置で設定された印刷条件が反映された画像が電子黒板装置のタッチパネルディスプレイ３１０にプレビュー表示される。すなわち、電子黒板装置のタッチパネルディスプレイ３１０には、コピー印刷によって得られた印刷物と同じ態様で、原稿画像がプレビュー表示される。
【０１２６】
電子黒板装置は、ユーザによる編集モードへの切替指示を受付けると（ステップＳ３０３０においてＹＥＳ）、自機のモードをプレビューモードから編集モードに切替える（ステップＳ３０４０）。編集モードにおいて、タッチパネルディスプレイ３１０の画面上で描画操作が行なわれると、電子黒板装置はその操作にしたがって、文字、図形及び記号等の描画像を表示する（ステップＳ３０７０及びステップＳ３０８０）。
【０１２７】
一方、編集モードへの切替指示がされていない場合（ステップＳ３０３０においてＮＯ）は、電子黒板装置は、編集モードへの切替を行なわずに、プレビューモードの状態で原稿画像を表示し続ける。プレビューモードにおいて、ユーザによって、タッチジェスチャー操作によるページめくり操作が行なわれると（ステップＳ３１２０においてＹＥＳ）、電子黒板装置は、当該操作にしたがって、原稿画像の表示を切替える（ステップＳ３１３０）。すなわち、ページめくり処理を実行する。
【０１２８】
［本実施の形態の効果］
以上の説明から明らかなように、本実施の形態に係る画像表示システムを利用することにより、以下に述べる効果を奏する。
【０１２９】
電子黒板装置は、画像形成装置から受信した表示データ（原稿データ）をタッチパネルディスプレイ３１０に表示した直後はプレビューモードによって当該表示データが示す画像を表示する。そのため、第１の実施の形態と同様、電子黒板装置には印刷処理によって得られた印刷物（コピー記録紙）と同じ態様（例えば両面印刷及びページ集約印刷等）で画像が表示される。すなわち、電子黒板装置には、コピー印刷を行なった原稿の画像が、コピー印刷によって得られた印刷物の原稿と対応して見やすく表示される。そのため、ユーザの視認性が向上する。一方、編集モードが選択されると、電子黒板装置は編集モードに切替えて画像を表示する。編集モードでは、１ページを１画面に表示する。そのため、ユーザによる編集操作が容易になり、操作性が向上する。このように、本実施の形態に係る電子黒板装置は、ユーザに対する視認性の向上と操作性の向上とを両立できる。
【０１３０】
（変形例）
上記実施の形態では、電子黒板装置からなる表示装置を含む画像表示システムについて示したが、本発明はそのような実施の形態には限定されない。画像表示システムを構成する表示装置は、電子黒板装置以外の装置であってもよい。
【０１３１】
上記実施の形態では、コピー印刷の際に読取った原稿画像のデータをコピー印刷と同時に電子黒板装置に送信する画像形成装置の例について示したが、本発明はそのような実施の形態には限定されない。例えば、画像形成装置を、パーソナルコンピュータ等から送信される画像データの印刷（プリント）を行なう際に、パーソナルコンピュータ等から送信された画像データを印刷と同時に電子黒板装置に送信するように構成してもよい。
【０１３２】
上記実施の形態では、画像形成装置側で、設定されている処理が反映された表示データを生成する例について示したが、本発明はそのような実施の形態には限定されない。例えば、画像形成装置が、画像データとともに設定された印刷条件の情報を電子黒板装置に送信することにより、電子黒板装置側で、設定されている処理が反映された表示データを生成するように構成してもよい。
【０１３３】
上記実施の形態では、電子黒板装置と画像形成装置とをネットワークを介して接続した例について示したが、本発明はそのような実施の形態には限定されない。電子黒板装置と画像形成装置とはネットワークを介さずに接続されていてもよい。
【０１３４】
上記で開示された技術を適宜組合せて得られる実施の形態についても、本発明の技術的範囲に含まれる。
【０１３５】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【０１３６】
５０                    画像表示システム
１００                  画像形成装置
１１０                  制御部
１２０                  スキャナ部
１３０                  画像処理部
１４０                  画像形成部
１５０                  表示データ生成部
１９０                  後処理部
２００                  コピー基本画面
２３２                  同時送信キー
３００                  電子黒板装置
３１０                  タッチパネルディスプレイ
３２０                  表示出力装置
３２２                  表示部
３３０                  入力検知装置
３３２                  接触感知部
３５０                  制御装置
３５８                  記録部
３６０                  入力処理部
３６２                  表示制御部
【図１】
2014023132.tif 000003
【図２】
2014023132.tif 000004
【図３】
2014023132.tif 000005
【図４】
2014023132.tif 000006
【図５】
2014023132.tif 000007
【図６】
2014023132.tif 000008
【図７】
2014023132.tif 000009
【図８】
2014023132.tif 000010
【図９】
2014023132.tif 000011
【図１０】
2014023132.tif 000012
【図１１】
2014023132.tif 000013
【図１２】
2014023132.tif 000014
【図１３】
2014023132.tif 000015